(57)【特許請求の範囲】
【請求項１】
被加熱物の存在領域に隣接する被加熱物存在側端部分の筒軸心を、被加熱物が前記存在領域に対して出入する出入方向に沿わせた状態で設けられる筒状支持体と、
前記被加熱物存在側端部分に、前記筒軸心に沿う方向の移動により前記存在領域に突出する突出位置と前記存在領域に進入する被加熱物との接当により後退する後退位置とに位置変更自在に、かつ、前記突出位置に復帰付勢された状態で設けられる検知体と、
前記検知体に装備されて、前記検知体における被加熱物との接当部の温度を検出する温度検出部と、
前記筒状支持体における前記検知体が装着される箇所とは離れる側部分の外周部に、当該筒状支持体の周方向において対向させた状態で設けられるリードスイッチ及び当該リードスイッチに磁界を印加する磁石と、
前記筒状支持体の内部を、前記磁石の磁力を遮蔽する遮蔽作用位置と当該遮蔽を解除する遮蔽解除位置とに当該筒状支持体の長手方向に沿って移動して、前記リードスイッチを閉状態と開状態とに切換える遮蔽部材と、
前記検知体と前記遮蔽部材とを連動連結して、前記検知体の前記突出位置と前記後退位置との移動に伴って前記遮蔽部材を前記遮蔽作用位置と前記遮蔽解除位置とに切換える連動連結部とが設けられた加熱調理器用検出装置の検査方法であって、
前記リードスイッチに印加される磁界の強さを変更するバイアス磁界を印加させた状態で、前記検知体を前記突出位置と前記後退位置とに切換えて、前記リードスイッチの閉状態と開状態との切換えを確認する加熱調理器用検出装置の検査方法。
【請求項２】
前記筒状支持体が、その長手方向の中間部を屈曲させたＬ型状に形成され、
前記連動連結部が、前記筒状支持体の内部に配設されて、前記検知体の前記突出位置と前記後退位置との移動に伴って前記遮蔽部材を前記遮蔽作用位置と前記遮蔽解除位置とに押し引き操作する可撓性を有する索状体にて構成され、
前記リードスイッチ及び前記磁石が、前記筒状支持体における前記中間部よりも前記被加熱物存在側端部分から離れる離間側部分の外周部に設けられている請求項１記載の加熱調理器用検出装置の検査方法。
【請求項３】
前記バイアス磁界にて、前記リードスイッチに印加される磁界の強さを減少させるようにする請求項１又は２記載の加熱調理器用検出装置の検査方法。
【請求項４】
前記バイアス磁界にて、前記リードスイッチに印加される磁界の強さを増加させるようにする請求項１又は２記載の加熱調理器用検出装置の検査方法。
【請求項５】
前記バイアス磁界を、ヘルムホルツコイルにより印加する請求項１〜４のいずれか１項に記載の加熱調理器用検出装置の検査方法。 
【発明の詳細な説明】
【技術分野】
【０００１】
本発明は、被加熱物の存在領域に隣接する被加熱物存在側端部分の筒軸心を、被加熱物が前記存在領域に対して出入する出入方向に沿わせた状態で設けられる筒状支持体と、
前記被加熱物存在側端部分に、前記筒軸心に沿う方向の移動により前記存在領域に突出する突出位置と前記存在領域に進入する被加熱物との接当により後退する後退位置とに位置変更自在に、かつ、前記突出位置に復帰付勢された状態で設けられる検知体と、
前記検知体に装備されて、前記検知体における被加熱物との接当部の温度を検出する温度検出部と、
前記筒状支持体における前記検知体が装着される箇所とは離れる側部分の外周部に、当該筒状支持体の周方向において対向させた状態で設けられるリードスイッチ及び当該リードスイッチに磁界を印加する磁石と、
前記筒状支持体の内部を、前記磁石の磁力を遮蔽する遮蔽作用位置と当該遮蔽を解除する遮蔽解除位置とに当該筒状支持体の長手方向に沿って移動して、前記リードスイッチを閉状態と開状態とに切換える遮蔽部材と、
前記検知体と前記遮蔽部材とを連動連結して、前記検知体の前記突出位置と前記後退位置との移動に伴って前記遮蔽部材を前記遮蔽作用位置と前記遮蔽解除位置とに切換える連動連結部とが設けられた加熱調理器用検出装置の検査方法に関する。 
【背景技術】
【０００２】
かかる加熱調理器用検出装置は、例えば、加熱調理器としてのガスコンロの上面部に装備したコンロバーナにて加熱される鍋等の被加熱物を、上下方向に移動させながら、ガスコンロの上面部に設けた五徳に載置する状態と五徳の上方に持ち上げる状態とに切換えることにより、検知体が後退位置と突出位置とに位置変更して、遮蔽部材が遮蔽作用位置と遮蔽解除位置とに位置変更されることにより、リードスイッチが閉状態と開状態とに切換えられることによって、被加熱物の存否を検出できるようにしたものであり、また、検知体に装備した温度検出部により、被加熱物の温度を検出できるものである（例えば、特許文献１（段落〔００１９〕〜〔００２１〕及び図１２〜図１５）参照。）。
【０００３】
ちなみに、検知体が突出位置と後退位置とに位置変更されるに伴って、遮蔽部材を遮蔽作用位置と遮蔽解除位置とに位置変更させる形態としては、検知体が突出位置のときに遮蔽部材を遮蔽作用位置に位置させ、かつ、検知体が後退位置のときに遮蔽部材を遮蔽解除位置に位置させる形態と、この形態とは逆に、検知体が突出位置のときに遮蔽部材を遮蔽解除位置に位置させ、かつ、検知体が後退位置のときに遮蔽部材を遮蔽作用位置に位置させる形態とがある。
【０００４】
また、リードスイッチとしては、磁石の磁界が作用すると閉状態となる常開型のリードスイッチと、磁石の磁界が作用すると開状態となる常閉型のリードスイッチとがあるが、一般には、検知体が突出位置のときに遮蔽部材を遮蔽作用位置に位置させ、かつ、検知体が後退位置のときに遮蔽部材を遮蔽解除位置に位置させる形態で、常開型のリードスイッチをリードスイッチとして用いて、検知体が被加熱物に押圧されて後退位置に位置変更させると、リードスイッチを閉状態に操作するように構成することが多い。
【先行技術文献】
【特許文献】
【０００５】
【特許文献１】特開２００６−３４７８３号公報
【発明の概要】
【発明が解決しようとする課題】
【０００６】
加熱調理器用検出装置は、製造段階において、検知体を突出位置と後退位置とに位置変更させながら、リードスイッチが閉状態と開状態とに適正通り切換えられるか否かを確認する動作検査を行うことになる。
このような動作検査を、単に、常温（例えば、２０℃）にて行うだけでは、加熱調理器が運転状態になって、加熱調理器用検出装置の周囲温度が、高温（例えば、６０℃程度）に上昇したときに、加熱調理器用検出装置が適正通り作動するか否かを確認できないものとなる。
【０００７】
また、例えば、寒冷地等において、加熱調理器の使用を開始する際には、加熱調理器用検出装置の周囲温度が、低温（例えば、０℃）になる虞があるが、単に、常温（例えば、２０℃）にて検査を行うだけでは、加熱調理器用検出装置が適正通り作動することが確認できないものとなる。
【０００８】
すなわち、リードスイッチを構成する磁性体の透磁率が、常温（例えば、２０℃）よりも昇温するに伴って低下して、リードスイッチの感動値及び開放値が上昇し、また、磁石によって形成される磁力が、常温（例えば、２０℃）よりも昇温するに伴って低下するため、動作検査を、単に、常温（例えば、２０℃）にて行うだけでは、加熱調理器用検出装置が適正通り作動するか否かを確認できないものとなる。
【０００９】
また、リードスイッチを構成する磁性体の透磁率が、常温（例えば、２０℃）よりも降温するに伴って上昇して、リードスイッチの感動値及び開放値が低下し、また、磁石によって形成される磁力が、常温（例えば、２０℃）よりも降温するに伴って上昇するため、動作検査を、単に、常温（例えば、２０℃）にて行うだけでは、加熱調理器用検出装置が適正通り作動するか否かを確認できないものとなる。
【００１０】
したがって、動作検査を行う際に、加熱調理器用検出装置の周囲温度を、高温（例えば、６０℃程度）に昇温させることや、低温（例えば、０℃）に降温させることが考えられるが、この場合には、加熱調理器用検出装置の周囲温度を変化させるために、大掛かりな温度調節設備を必要とする不利があり、しかも、加熱調理器用検出装置の周囲温度を変化させるには時間が掛かるため、動作検査の検査時間が長くなる不都合がある。
【００１１】
本発明は、上記実状に鑑みて為されたものであって、その目的は、検査のための設備の簡素化、及び、検査時間の短縮化を図りながら、加熱調理器用検出装置の周囲温度を常温から変化させた状態に相当する状態における動作検査を良好に行うことができる加熱調理器用検出装置の検査方法を提供する点にある。
【課題を解決するための手段】
【００１２】
本発明の加熱調理器用検出装置の検査方法は、被加熱物の存在領域に隣接する被加熱物存在側端部分の筒軸心を、被加熱物が前記存在領域に対して出入する出入方向に沿わせた状態で設けられる筒状支持体と、
前記被加熱物存在側端部分に、前記筒軸心に沿う方向の移動により前記存在領域に突出する突出位置と前記存在領域に進入する被加熱物との接当により後退する後退位置とに位置変更自在に、かつ、前記突出位置に復帰付勢された状態で設けられる検知体と、
前記検知体に装備されて、前記検知体における被加熱物との接当部の温度を検出する温度検出部と、
前記筒状支持体における前記検知体が装着される箇所とは離れる側部分の外周部に、当該筒状支持体の周方向において対向させた状態で設けられるリードスイッチ及び当該リードスイッチに磁界を印加する磁石と、
前記筒状支持体の内部を、前記磁石の磁力を遮蔽する遮蔽作用位置と当該遮蔽を解除する遮蔽解除位置とに当該筒状支持体の長手方向に沿って移動して、前記リードスイッチを閉状態と開状態とに切換える遮蔽部材と、
前記検知体と前記遮蔽部材とを連動連結して、前記検知体の前記突出位置と前記後退位置との移動に伴って前記遮蔽部材を前記遮蔽作用位置と前記遮蔽解除位置とに切換える連動連結部とが設けられた加熱調理器用検出装置の検査方法であって、その特徴構成は、
前記リードスイッチに印加される磁界の強さを変更するバイアス磁界を印加させた状態で、前記検知体を前記突出位置と前記後退位置とに切換えて、前記リードスイッチの閉状態と開状態との切換えを確認する点にある。 
【００１３】
すなわち、上記特徴構成によれば、バイアス磁界によって、磁石によってリードスイッチに印加される磁界の強さを、加熱調理器用検出装置の周囲温度が常温とは異なる温度に対応させた強さに変更した状態で、検知体を突出位置と後退位置とに位置変更させながら、リードスイッチが閉状態と開状態とに適正通り切換えられるか否かを確認する動作検査を行うことができる。
【００１４】
つまり、加熱調理器用検出装置の周囲温度が常温よりも高い状態に対応する動作検査を行う場合には、バイアス磁界にて、リードスイッチに印加される磁石の磁界の強さを減少させるようにした状態で、検知体を突出位置と後退位置とに位置変更させながら、リードスイッチが閉状態と開状態とに適正通り切換えられるか否かを確認する動作検査を行うことになる。
【００１５】
また、加熱調理器用検出装置の周囲温度が常温よりも低い状態に対応する動作検査を行う場合には、バイアス磁界にて、リードスイッチに印加される磁石の磁界の強さを増加させるようにした状態で、検知体を突出位置と後退位置とに位置変更させながら、リードスイッチが閉状態と開状態とに適正通り切換えられるか否かを確認する動作検査を行うことになる。
【００１６】
そして、バイアス磁界を発生させるには、電気式の磁界発生器を用いることになるが、そのような磁界発生器は、温調用の設備に較べて安価なものであるから、検査のための設備の簡素化を図ることができ、また、電気式の磁界発生器は、通電すれば直ちに磁界を発生する状態となるから、検査時間の短縮化を図ることができる。
【００１７】
要するに、本発明の特徴構成によれば、検査のための設備の簡素化、及び、検査時間の短縮化を図りながら、加熱調理器用検出装置の周囲温度を常温から変化させた状態に相当する状態における動作検査を良好に行うことができる加熱調理器用検出装置の検査方法を提供できる。
【００１８】
本発明の加熱調理器用検出装置の検査方法の更なる特徴構成は、
前記筒状支持体が、その長手方向の中間部を屈曲させたＬ型状に形成され、
前記連動連結部が、前記筒状支持体の内部に配設されて、前記検知体の前記突出位置と前記後退位置との移動に伴って前記遮蔽部材を前記遮蔽作用位置と前記遮蔽解除位置とに押し引き操作する可撓性を有する索状体にて構成され、
前記リードスイッチ及び前記磁石が、前記筒状支持体における前記中間部よりも前記被加熱物存在側端部分から離れる離間側部分の外周部に設けられている点にある。
【００１９】
すなわち、本発明の更なる特徴構成によれば、筒状支持体がＬ字状に形成されているから、加熱調理器における種々の空間に筒状支持体を配設することができるのであり、しかも、リードスイッチ及び磁石が、筒状支持体における中間部よりも被加熱物存在側端部分から離れる離間側部分の外周部に設けられているから、離間側部分が、被加熱物存在側端部分よりも被加熱物を加熱するコンロバーナ等の加熱部にて加熱され難いことに起因して、加熱調理器の運転状態のときに、離間側部分が高温になるにしても、その高温になる度合を減少させて、リードスイッチ及び磁石の熱損を回避する上で有利となる。
【００２０】
そして、連動連結部が、筒状支持体の内部に配設されて、検知体の突出位置と後退位置との移動に伴って遮蔽部材を遮蔽作用位置と遮蔽解除位置とに押し引き操作する可撓性を有する索状体にて構成されているから、筒状支持体がＬ字状に形成されていながらも、検知体の突出位置と後退位置との移動に伴って、適切に、遮蔽部材を遮蔽作用位置と遮蔽解除位置とに位置変更させることができる。 
【００２１】
したがって、本発明の更なる特徴構成によれば、設置性が優れしかも熱損を回避する上で有利となる加熱調理器用検出装置の動作検査を良好に行うことができる。
【００２２】
本発明の加熱調理器用検出装置の検査方法の更なる特徴構成は、
前記バイアス磁界にて、前記リードスイッチに印加される磁界の強さを減少させるようにする点にある。
【００２３】
すなわち、本発明の更なる特徴構成によれば、バイアス磁界にて、磁石によってリードスイッチに印加される磁界の強さを減少させるようにするものであるから、加熱調理器が運転状態になって、加熱調理器用検出装置の周囲温度が高温に上昇したときに、加熱調理器用検出装置が適正通り作動するか否かを、適切に確認することができる。
【００２４】
したがって、本発明の更なる特徴構成によれば、加熱調理器用検出装置の周囲温度が高温に上昇したときに、加熱調理器用検出装置が適正通り作動するか否かを、適切に確認することができる。
【００２５】
本発明の加熱調理器用検出装置の検査方法の更なる特徴構成は、
前記バイアス磁界にて、前記リードスイッチに印加される磁界の強さを増加させるようにする点にある。
【００２６】
すなわち、本発明の更なる特徴構成によれば、バイアス磁界にて、磁石によってリードスイッチに印加される磁石の磁界の強さを増加させるようにするものであるから、寒冷地等において加熱調理器を運転する前の時点等、加熱調理器用検出装置の周囲温度がかなり低いときに、加熱調理器用検出装置が適正通り作動するか否かを、適切に確認することができる。
【００２７】
したがって、本発明の更なる特徴構成によれば、加熱調理器用検出装置の周囲温度がかなり低いときに、加熱調理器用検出装置が適正通り作動するか否かを、適切に確認することができる。
【００２８】
本発明の加熱調理器用検出装置の検査方法の更なる特徴構成は、
前記バイアス磁界を、ヘルムホルツコイルにより印加する点にある。
【００２９】
すなわち、本発明の更なる特徴構成によれば、ヘルムホルツコイルによりバイアス磁界を印加するものであるから、バイアス磁界が、磁力線の形成方向と直交する方向における磁気強度を均一にする状態に形成されるため、バイアス磁界における磁力線の形成方向と直交する方向において、リードスイッチ及び磁石の位置が変化しても、リードスイッチに印加される磁石の磁界の強さを適切に変更できるものとなるのであり、リードスイッチ及び磁石をバイアス磁界に対して精度良く位置決めすることなく、加熱調理器用検出装置が適正通り作動するか否かを、適切に確認することができるものとなる。
【００３０】
したがって、本発明の更なる特徴構成によれば、リードスイッチ及び磁石をバイアス磁界に対して精度良く位置決めすることなく、適切な動作検査を行うことができる。
【図面の簡単な説明】
【００３１】
【図１】ガスコンロの斜視図
【図２】コンロバーナの装着部の縦断側面図
【図３】グリル皿の支持構成を示す斜視図
【図４】グリル皿をグリル庫に収納した状態の平面図
【図５】加熱調理器用検出装置の縦断側面図
【図６】加熱調理器用検出装置の縦断側面図
【図７】加熱調理器用検出装置の検査状態を示す図
【図８】磁石の磁力と温度との関係を示すグラフ
【図９】リードスイッチの感度と温度との関係を示すグラフ
【発明を実施するための形態】
【００３２】
〔実施形態〕
以下、本発明の実施形態を図面に基づいて説明する。
【００３３】
（ガスコンロの全体構成）
図１に示すように、加熱調理器としてのガスコンロが、コンロ本体Ｈの上面部に、左右一対のコンロバーナ１を備え、コンロ本体Ｈの内部にグリルＧ（図３参照）を備える形態に構成されている。
このガスコンロは、キッチンカウンタに形成したコンロ装着口に上方から挿入して組付ける、いわゆるビルトインタイプとして構成されるものであって、コンロ本体Ｈの上部の周縁部には、キッチンカウンタに載置する鍔部が形成されている。
【００３４】
コンロ本体Ｈの上部には、ガラス製の天板２が装備され、そして、天板２の後部側箇所には、グリルＧの調理排気を排出するためのグリル排気口３が形成されている。
天板２の上部には、コンロバーナ１にて加熱される鍋等の被加熱物Ｋを載置するための五徳４が、左右のコンロバーナ１の夫々に対応して設けられている。
【００３５】
コンロバーナ１の中央部には、図１及び図２に示すように、加熱調理器用検出装置Ｓとしてのコンロ用センサＳＣが設けられている。
また、本実施形態においては、後述の如く、加熱調理器用検出装置Ｓとして、グリル用センサＳＧがグリルＧに装備されることになる（図３及び図４参照）。
ちなみに、コンロ用センサＳＣは、被加熱物Ｋとしての鍋等の存在及び被加熱物Ｋの底壁温度を検出することになるが、グリル用センサＳＧは、被加熱物Ｋとしてのグリル皿９の存在及びセンサ装着部の雰囲気温度を検出することになる。
【００３６】
コンロ本体Ｈの上部に装備した天板２の手前側箇所には、左右のコンロバーナ１の夫々に対する左右一対のコンロ用操作具５が、上方に離脱自在に設けられ、コンロ本体Ｈの前面部の右側箇所には、グリルＧに対するグリル用設定操作部６が、下方側を支点にした前後揺動により開閉自在に設けられている。
尚、図１は、グリル用設定操作部６の開き状態を例示する。
【００３７】
一対のコンロ用操作具５の夫々は、前後や左右のスライド操作及び左右の回転操作により、点火及び消火の指令、目標火力の指令、目標温度に維持する自動温度調理の指令等、各種の指令情報を指令するように構成されている。
グリル用設定操作部６は、複数の指令スイッチを備えて、それらの複数の指令スイッチの操作により、後述する加熱調理用のグリルバーナＡに対する点火及び消火の指令、目標火力の指令、目標温度に維持する自動温度調理の指令等、各種の指令情報を指令するように構成されている。
【００３８】
（コンロバーナの構成）
図２に示すように、コンロバーナ１は、円筒状のバーナ本体部１Ａと、そのバーナ本体部１Ａに接続される混合管部１Ｂとを備え、バーナ本体部１Ａには、周方向に沿って炎孔Ｆが形成されている。つまり、コンロバーナ１は、炎孔Ｆを環状に備える形態に構成されている。
【００３９】
コンロバーナ１は、燃料ガスに混合される一次空気と外部より供給される二次空気とにより燃料ガスを燃焼させる、いわゆるブンゼン式バーナとして構成されている。
すなわち、燃料ガスが噴出ノズル７から混合管部１Ｂの端部に噴出供給される際に、一次空気がエジェクタ作用によって混合管部１Ｂの内部に吸引され、一次空気と燃料ガスとが、混合管部１Ｂの内部を通して流動させるに伴って混合され、混合ガスが上述した炎孔Ｆに供給されて一次燃焼が行われることになる。
そして、天板２の上面に沿って流動する空気や天板２の下方からバーナ本体部１Ａの内部を通して上方側に流動する空気等が二次空気として燃焼炎に供給されて、二次燃焼が行われることになる。
【００４０】
ちなみに、コンロ用センサＳＣが、バーナ本体部１Ａの内部に配設されて、バーナ本体部１Ａの内部を通して上方側に流動する空気にて、冷却されるように構成されている。
尚、コンロ用センサＳＣの詳細は、後述する。
【００４１】
（グリルの構成）
グリルＧには、図３及び図４に示すように、前部が調理用の出入口ＵＡとして開口しかつ背部が調理排気を排出する排出口ＵＢとして開口する筒状に形成されたグリル庫８が備えられ、グリル皿９（調理容器の一例）を支持し且つグリル扉１０（図１参照）を前端部に備えた調理容器支持部Ｌが、出入口ＵＡを通して、グリル庫８に対して出退自在に設けられている。
【００４２】
ちなみに、図３及び図４は、グリル庫８の天井壁を外した状態を例示するものであり、また、グリル庫８の後部には、排出口ＵＢを通して、グリル庫８から排出される調理排気を上述したグリル排気口３に導く排気筒が接続されるが、図３及び図４においては、排気筒の記載を省略する。
【００４３】
グリル庫８の底部には、下バーナ１２が装備され、また、グリル庫８の天井部には、図示は省略するが、上バーナが装備されている。つまり、本実施形態においては、加熱調理用のグリルバーナＡとして、下バーナ１２と上バーナとが設けられている。
下バーナ１２は、上述したコンロバーナ１を転用して構成されるものであって、いわゆるブンゼン式バーナとして構成されている。
【００４４】
図３に示すように、グリル庫８の底壁部を上方から覆う板状のカバー体１３が、下バーナ１２を覆う状態で設けられ、下バーナ１２が、カバー体１３の中央部の開口を通して上方に突出する状態で設けられている。
【００４５】
図３に示すように、グリル庫８の左右の側壁部８ｓの底部側部分の夫々に、長手方向をグリル庫８の前後方向に向けた姿勢で伸縮するスライドレール式のレール機構Ｂが、カバー体１３の下方に配設され、このレール機構Ｂの先端部に、グリル扉１０を装着するための扉支持板１４が取付けられ、グリル扉１０が、扉支持板１４の前面側に当て付けた状態で、扉支持板１４に装着されるように構成されている。
【００４６】
図３に示すように、グリル皿９の前縁部及び後縁部を載置支持する形態に棒状材を曲げ加工して構成された容器支持枠１５が、前端部を扉支持板１４に対して上下揺動自在に支持し、かつ、後端部の被載置部１５ａをカバー体１３の上部に設けたレール枠１６に対して摺動自在に載置させた状態で設けられている。
【００４７】
すなわち、調理容器支持部Ｌが、グリル皿９を載置支持する容器支持枠１５及びグリル扉１０を主要部として構成され、そして、グリル扉１０を装着する扉支持板１４及び容器支持枠１５が、左右のスライドレール式のレール機構Ｂにて、グリル庫８に対して出退自在に支持されるように構成されている。
尚、調理容器支持部Ｌをグリル庫８に収納した状態においては、グリル扉１０がグリル庫８の出入口ＵＡを閉じることになる。
【００４８】
（コンロ用センサの構成）
図５及び図６に示すように、コンロ用センサＳＣにおける筒状支持体２１が、鍋等の被加熱物Ｋの存在領域に隣接する被加熱物存在側端部分の筒軸心を、被加熱物Ｋが存在領域に対して出入する出入方向に沿わせた状態で設けられている。
【００４９】
すなわち、本実施形態においては、図２に示すように、被加熱物Ｋの存在領域は、五徳４の上方側の領域に相当することになり、その存在領域に対して、鍋等の被加熱物Ｋが上下方向に沿って移動されながら出入りすることになるので、筒状支持体２１における存在領域に隣接する被加熱物存在側端部分２１Ａの筒軸心を上下方向に沿わせた状態で、筒状支持体２１が設置されている。
【００５０】
また、筒状支持体２１が、その長手方向の中間部を屈曲させたＬ型状に形成されて、グリル庫８等との干渉を回避した状態で設置できるように構成されている。
つまり、筒状支持体２１は、上述した被加熱物存在側端部分２１Ａと、屈曲する中間部よりも被加熱物存在側端部分２１Ａから離れて位置する離間側部分２１Ｂとを備える形態に形成され、被加熱物存在側端部分２１Ａの筒軸心が、上述の如く上下方向に沿わせた状態となり、離間側部分２１Ｂの筒軸心が、水平方向に沿わせた状態となるように構成されている。
【００５１】
筒状支持体２１の被加熱物存在側端部分２１Ａに、検知体２２が、被加熱物存在側端部分２１Ａの筒軸心方向に沿う移動により存在領域に突出する突出位置（図２、図５参照）と存在領域に進入する被加熱物Ｋとの接当により後退する後退位置（図６参照）とに位置変更自在に、かつ、突出位置に復帰付勢された状態で設けられている。
【００５２】
検知体２２における被加熱物Ｋとの接当部２２Ｔの温度を検出する温度検知部２３が、検知体２２に装備されている。
筒状支持体２１における検知体２２が装着される箇所とは離れる側部分の外周部、本実施形態においては離間側部分２１Ｂの外周部に、筒状支持体２１の周方向において対向させた状態でリードスイッチ２４及び当該リードスイッチ２４に磁界を印加する磁石２５とが設けられている。尚、磁石２５は、当然ながら永久磁石である。
【００５３】
また、筒状支持体２１の内部を、磁石２５の磁力を遮蔽する遮蔽作用位置（図５参照）と当該遮蔽を解除する遮蔽解除位置（図６参照）とに筒状支持体２１の長手方向に沿って移動して、リードスイッチ２４を閉状態と開状態とに切換える円筒状の遮蔽部材２６が設けられている。
そして、検知体２２と遮蔽部材２６とを連動連結して、検知体２２の突出位置と後退位置との移動に伴って遮蔽部材２６を遮蔽作用位置と遮蔽解除位置とに切換える連動連結部Ｒが設けられている。
【００５４】
したがって、コンロ用センサＳＣは、被加熱物Ｋの存否をリードスイッチ２４の閉開により検出し、かつ、被加熱物Ｋに接当する検知体２２の接当部２２Ｔの温度を、被加熱物Ｋの底部の温度として、温度検知部２３にて検出するように構成されている。
ちなみに、リードスイッチ２４の検出情報及び温度検知部２３の検出情報は、ガスコンロの運転を制御する運転制御部（図示せず）に入力されて、コンロバーナ１の燃焼を制御する制御情報として用いられることになる。
【００５５】
（コンロ用センサの詳細）
筒状支持体２１は、ステンレススチール（例えば、ＳＵＳ３０４）等の非磁性体にて構成されている。
検知体２２は、図５及び図６に示すように、小径部と大径部とからなる２段円筒状の本体部２２Ａと、その本体部２２Ａの大径部に外嵌されて、本体部２２Ａの先端部開口を閉塞する有底筒状の先端部材２２Ｂと、先端の鍔部が本体部２２Ａの先端部に固着される鍔付円筒状のセンサ支持部２２Ｃとを備える形態に構成されている。
そして、有底筒状の先端部材２２Ｂの先端面部にて、被加熱物Ｋとの接当部２２Ｔが構成されている。
【００５６】
筒状支持体２１の検知体２２が装着される側の端部には、検知体２２の本体部２２Ａにおける小径部の内径よりも大きく且つ大径部の内径よりもやや小さい外径を有するリング状のバネ受部２７が係止され、検知体２２のセンサ支持部２２Ｃとバネ受部２７との間に、検知体２２を上方側に付勢するコイルバネ２８が圧縮状態で配設されている。
【００５７】
すなわち、検知体２２は、本体部２２Ａの小径部と大径部との間の段部がバネ受部２７にて受止められると、上述した突出位置となり、かつ、その突出位置にコイルバネ２８にて復帰付勢され、鍋等の被加熱物Ｋが五徳４に載置されるに伴って、コイルバネ２８の付勢力に抗して下方側に後退移動して後退位置に移動するように構成されている。
【００５８】
温度検知部２３が、検知体２２の接当部２２Ｔの裏面に当て付けられ、かつ、センサ支持部２２Ｃの内部に充填した耐熱性の樹脂にて保持される状態で、センサ支持部２２Ｃの内部に収納されている。尚、温度検知部２３は、サーミスタ等の温度検出素子を用いて構成されている。
【００５９】
温度検知部２３から延びる温度検知用リード線２９が、筒状支持体２１の内部を通して延出され、温度検知用リード線２９の端部には、運転制御部に接続するための温度検知用コネクタ３０が設けられている。
尚、温度検知用リード線２９には、ガラス編組チューブ等にて構成される耐熱性を有する耐熱チューブ２９Ａが被覆されている。
【００６０】
検知体２２におけるセンサ支持部２２Ｃに、ピアノ線等から構成される索状体３１の一端部が接続され、この索状体３１が、筒状支持体２１の内部を通して延出され、そして、索状体３１の他端部に、遮蔽部材２６が接続されている。つまり、連動連結部Ｒが、索状体３１にて構成されている。
【００６１】
索状体３１が、検知体２２が上下方向に移動するのに伴って、筒状支持体２１の屈曲形状に沿って湾曲しながら、筒状支持体２１の長手方向に沿って移動することになり、索状体３１の移動に伴って、遮蔽部材２６が筒状支持体２１の長手方向に沿って移動されるように構成されている。
尚、遮蔽部材２６は、温度検知用リード線２９の耐熱チューブ２９Ａを外套する大きさの筒状に形成されている。
【００６２】
そして、図５に示すように、検知体２２が突出位置に位置するときには、遮蔽部材２６がリードスイッチ２４と磁石２５との間に相当する遮蔽作用位置に位置し、検知体２２が被加熱物Ｋとの接当により突出位置から後退位置に後退移動したときには、図６に示すように、遮蔽部材２６がリードスイッチ２４と磁石２５との間に相当する位置から外れた遮蔽解除位置に位置するように構成されている。
【００６３】
本実施形態においては、リードスイッチ２４が、常開型（ノーマルオープンタイプ）に構成されて、磁石２５にて印加される磁界により、閉状態（ＯＮ状態）に操作されるように構成されている。
すなわち、本実施形態のリードスイッチ２４は、雰囲気温度が常温（例えば、２０℃）のときには、感動値が１０〜３０ＡＴ（アンペアターン）で、開放値が５ＡＴ（アンペアターン）である。
そして、雰囲気温度が常温（例えば、２０℃）の場合には、遮蔽部材２６が遮蔽解除位置（図６参照）に位置するときには、磁石２５からリードスイッチ２４に対して２０ＡＴ（アンペアターン）の磁界が印加され、遮蔽部材２６が遮蔽作用位置（図５参照）に位置するときには、磁石２５からリードスイッチ２４に対して１ＡＴ（アンペアターン）の磁界が印加されるように構成されている。
【００６４】
ちなみに、本実施形態においては、リードスイッチ２４が、筒状支持体２１の筒軸心方向（長手方向）に沿う磁力線を有する磁界にて閉状態（ＯＮ状態）に操作される形態のものであるため、磁石２５が、両端のＮ磁極２５ｎ及びＳ磁極２５ｓを筒状支持体２１の筒軸心方向（長手方向）に沿って並ぶ状態に設置されて、筒状支持体２１の筒軸心方向（長手方向）に沿う磁力線を有する磁界を、リードスイッチ２４に印加するように構成されている。
【００６５】
尚、リードスイッチ２４として、筒状支持体２１の径方向に沿う磁力線を有する磁界にて操作される形態のリードスイッチを用いる場合には、磁石２５が、両端のＮ磁極２５ｎ及びＳ磁極２５ｓを筒状支持体２１の径方向に沿って並ぶ状態に設置することになる。
【００６６】
したがって、遮蔽部材２６をリードスイッチ２４と磁石２５との間の遮蔽作用位置に位置させると、リードスイッチ２４が開状態（ＯＦＦ状態）になり、これとは逆に、遮蔽部材２６をリードスイッチ２４と磁石２５との間に相当する位置から外れた遮蔽解除位置に位置させると、リードスイッチ２４が閉状態（ＯＮ状態）になるように構成されている。
【００６７】
リードスイッチ２４から延びる存否検出用リード線３２が、筒状支持体２１に沿って延出され、存否検出用リード線３２の端部には、運転制御部に接続するための存否検知用コネクタ３３が設けられている。
【００６８】
（調理容器の検出構成）
図３及び図４に示すように、加熱調理器用検出装置Ｓとしてのグリル用センサＳＧが、調理容器支持部Ｌがグリル庫８に収納された状態、つまり、グリル皿９がグリル庫８の内部に収納された状態において、グリル皿９の後端部に接当する形態で設けられている。
グリル用センサＳＧは、コンロ用センサＳＣと同様に構成されるものであるため、同じ部材には同じ符号を付すことにより、詳細な説明は省略して、グリル用センサＳＧの設置構成について説明する。
【００６９】
すなわち、図３及び図４に示すように、グリル庫８の後部に、後壁を形成する左右一対の後板８ｒが設けられ、これら後板８ｒのうちの左側に相当する後板８ｒに、筒状のセンサ支持枠３４が設けられ、グリル用センサＳＧが、センサ支持枠３４の内部を挿通する形態で設けられている。
尚、左右一対の後板８ｒの間に、調理排気を排出する排出口ＵＢの下方側部分が形成されることになる。
【００７０】
センサ支持枠３４が、グリル庫８の内外方向に沿う水平姿勢で、後板８ｒを貫通する状態で設けられ、筒状支持体２１の被加熱物存在側端部分２１Ａが、筒軸心をグリル庫８の前後方向に沿う水平方向に向けた状態で、センサ支持枠３４の内部に装着されている。
つまり、被加熱物Ｋとしてのグリル皿９がグリル庫８の前後方向に沿う水平方向に沿って移動されることになるため、筒状支持体２１の被加熱物存在側端部分２１Ａが、筒軸心をグリル皿９の移動方向に向けた状態となるように構成されている。
【００７１】
そして、センサ支持枠３４のグリル庫８の内部に突出する筒状部３４Ａの内部に、グリル用センサＳＧの検知体２２が、筒状部３４Ａよりもグリル庫８の内部に突出する状態で位置されて、この検知体２３が、グリル皿９がグリル庫８の内部に収納された状態において、グリル皿９の後端部との接当により、後退移動するように構成されている。
【００７２】
つまり、センサ支持枠３４の筒状部３４Ａよりもグリル庫８の内方側部分が、被加熱物Ｋとしてのグリル皿９がグリル庫８の前後方向に移動しながら出入する存在領域となり、検知体２２が、存在領域に突出する突出位置とグリル皿９との接当により後退する後退位置とに位置変更するように構成されている。
【００７３】
図４に示すように、検知体２２がグリル皿９の後端部に接当した状態において、検知体２２の接当部２２Ｔにおける周縁部が、グリル皿９の後端部に接当することになり、温度検知部２３が当て付けられている接当部２２Ｔの径方向の中央部が、グリル皿９に接当しないことになるため、温度検知部２３は、グリル用センサＳＧの設置箇所の雰囲気温度を検出することになる。
【００７４】
図３及び図４に示すように、リードスイッチ２４及び磁石２５が、コンロ本体Ｈに支持された検出部保持体３５に保持されている。
ちなみに、リードスイッチ２４の検出情報及び温度検知部２３の検出情報は、ガスコンロの運転を制御する運転制御部（図示せず）に入力されて、例えば、グリル皿９が存在しないときには、グリルバーナＡの燃焼を牽制する等、グリルバーナＡの燃焼を制御する制御情報として用いられることになる。
【００７５】
（加熱調理器用検出装置の検査方法）
次に、加熱調理器用検出装置Ｓの検査方法を、コンロ用センサＳＣを代表にして説明する。
図７に示すように、リードスイッチ２４に印加される磁石２５の磁界の強さを変更するバイアス磁界を印加する電気式の磁気発生器として、ヘルムホルツコイルＭが設けられ、また、リードスイッチ２４から延びる存否検出用リード線３２の端部の存否検知用コネクタ３３に、リードスイッチ２４の開閉状態を表示する表示器Ｎが接続されている。
【００７６】
ヘルムホルツコイルＭは、筒状支持体２１の長手方向（軸心方向）に並ぶ一対のコイル部Ｃｍを共通の支持台Ｄｍにて支持する形態で備えるように構成されている。
そして、それら一対のコイル部Ｃｍに電力（直流）を供給しかつ供給電力及び通電方向を変更設定自在な電力供給部ＭＤが設けられている。
尚、本実施形態においては、ヘルムホルツコイルＭとして、一対のコイル部Ｃｍを備える形態のものを例示するが、３個以上のコイル部Ｃｍを、筒状支持体２１の長手方向（軸心方向）に並べる形態で備えるものを用いてもよい。
【００７７】
ヘルムホルツコイルＭは、筒状支持体２１の長手方向（軸心方向）において、一対のコイル部Ｃｍを、筒状支持体２１に装着されたリードスイッチ２４及び磁石２５の両側箇所に位置させ、かつ、筒状支持体２１の長手方向（軸心方向）に沿う方向視において、一対のコイル部Ｃｍを、筒状支持体２１にリードスイッチ２４及び磁石２５を囲む状態で配置されている。
【００７８】
ちなみに、一対のコイル部Ｃｍは、筒状支持体２１に装着されたリードスイッチ２４及び磁石２５を囲む状態で配置されるものであるから、筒状支持体２１に装着されたリードスイッチ２４及び磁石２５の外周に相当する外径よりも、十分に大きな内径を有する状態に形成されている。
【００７９】
そして、磁石２５が発生する発生磁界ＪＡ、及び、その発生磁界ＪＡによりリードスイッチ２４に印加される磁界Ｊａが、筒状支持体２１の長手方向（軸心方向）に沿いかつ逆向きとなるように存在している。また、ヘルムホルツコイルＭにて印加されるバイアス磁界Ｊｂが、筒状支持体２１の長手方向（軸心方向）に沿う方向になるように構成されている。
【００８０】
ちなみに、バイアス磁界Ｊｂは、リードスイッチ２４に印加される磁界Ｊａの強さを減少させるときには、図７に示すように、リードスイッチ２４に印加される磁界Ｊａの向きとは逆向きとなる磁界を形成し、リードスイッチ２４に印加される磁界Ｊａの強さを増加させるときには、例示はしないが、リードスイッチ２４に印加される磁界Ｊａの向きと同じ向きの磁界を形成することになる。
尚、バイアス磁界Ｊｂの磁界の向きは、コイル部Ｃｍに対する通電方向を変更させることにより設定できる。
【００８１】
そして、コンロ用センサＳＣの動作検査を行う場合には、バイアス磁界Ｊｂを印加させた状態で、検知体２２を突出位置と後退位置とに切換えて、リードスイッチ２４の閉状態と開状態との切換えを確認することになる。
【００８２】
説明を加えると、リードスイッチ２４を構成する磁性体の透磁率が、常温（例えば、２０℃）よりも昇温するに伴って低下するため、リードスイッチ２４の感動値及び開放値が、コンロ用センサＳＣの周囲温度が常温（例えば、２０℃）より昇温するに伴って上昇することになり、また、磁石２５によって形成される磁力が、常温（例えば、２０℃）よりも昇温するに伴って低下する。
【００８３】
例えば、コンロ用センサＳＣの周囲温度が、２０℃（常温）から６０℃に上昇すると、リードスイッチ２４の感動値が、１０〜３０ＡＴ（アンペアターン）から３パーセント上昇して、１０．３〜３０．９ＡＴ（アンペアターン）となり、リードスイッチ２４の感度が、図９に示すように、３パーセント減少することになる。
また、コンロ用センサＳＣの周囲温度が、２０℃（常温）から６０℃に上昇すると、図８に示すように、磁石２５によって形成される磁界の強さ（磁力）が、７パーセント減少するため、磁石２５によってリードスイッチ２４に印加される磁界が、２０ＡＴ（アンペアターン）から１８．６ＡＴ（アンペアターン）に減少することになる。
【００８４】
したがって、コンロ用センサＳＣの周囲温度が、２０℃（常温）から６０℃に上昇すると、遮蔽部材２６が遮蔽解除位置から遮蔽作用位置に位置変更したときには、リードスイッチ２４を閉状態から開状態に適切に操作することができるものの、遮蔽部材２６が遮蔽作用位置から遮蔽解除位置に位置変更したときに、リードスイッチ２４を開状態から閉状態に操作することが行い難くなる。
【００８５】
また、リードスイッチ２４を構成する磁性体の透磁率が、常温（例えば、２０℃）よりも降温するに伴って上昇するため、リードスイッチ２４の感動値及び開放値が、コンロ用センサＳＣの周囲温度が常温（例えば、２０℃）より降温するに伴って低下し、また、磁石によって形成される磁界の強さ（磁力）が、常温（例えば、２０℃）よりも降温するに伴って上昇することになる。
【００８６】
つまり、コンロ用センサＳＣの周囲温度が、２０℃（常温）から下降すると、リードスイッチ２４の感動値が低下して、リードスイッチ２４の感度が上昇することになる（図９参照）。
また、コンロ用センサＳＣの周囲温度が、２０℃（常温）から下降すると、図８に示すように、磁石２５によって形成される磁界の強さ（磁力）が増加するため、磁石２５によってリードスイッチ２４に印加される磁界が、２０ＡＴ（アンペアターン）から増加した値に変動することになる。
【００８７】
したがって、コンロ用センサＳＣの周囲温度が、例えば、２０℃（常温）から０℃に下降すると、遮蔽部材２６が遮蔽作用位置から遮蔽解除位置に位置変更したときには、リードスイッチ２４を開状態から閉状態に適切に操作することができるものの、遮蔽部材２６が遮蔽解除位置から遮蔽作用位置に位置変更したときに、リードスイッチ２４を閉状態から開状態に操作することが行い難いものとなる。
【００８８】
そこで、コンロ用センサＳＣの周囲温度が、常温（例えば、２０℃）よりも高い状態に対応する動作検査を行う場合には、バイアス磁界Ｊｂにて、磁石２５によってリードスイッチ２４に印加される磁界Ｊａの強さを減少させるようにし、また、コンロ用センサＳＣの周囲温度が常温よりも低い状態に対応する動作検査を行う場合には、バイアス磁界Ｊｂにて、磁石２５によってリードスイッチ２４に印加される磁界Ｊａの強さを増加させるようにした状態で、検知体２２を突出位置と後退位置とに位置変更させながら、リードスイッチ２４が閉状態と開状態とに適正通り切換えられるか否かを確認することになる。
【００８９】
つまり、バイアス磁界Ｊｂによって、磁石２５によってリードスイッチ２４に印加される磁界の強さや向きを、コンロ用センサＳＣの周囲温度の変化に応じて変化することになるリードスイッチ２４の感度や磁石２５の磁力に対応させて設定する強さや向きに変更した状態で、検知体２２を突出位置と後退位置とに位置変更させながら、リードスイッチ２４が閉状態と開状態とに適正通り切換えられるか否かを確認する動作検査を行うことになる。
ちなみに、ヘルムホルツコイルＭにて生成するバイアス磁界Ｊｂの強さや方向は、電力供給部ＭＤから一対のコイル部Ｃｍに供給する電力の大きさや通電方向を変更して行うことになる。
【００９０】
〔別実施形態〕
次に、別実施形態を列記する。
（１）上記実施形態では、ヘルムホルツコイルＭにてバイアス磁界Ｊｂを印加する場合を例示したが、例えば、磁石２５の側脇に、電磁石を配置して、この電磁石にてバイアス磁界Ｊｂを印加するようにする等、バイアス磁界Ｊｂを印加するための具体構成は、各種変更できる。
【００９１】
（２）上記実施形態では、加熱調理器用検出装置Ｓの周囲温度が、常温（例えば、２０℃）から高温（例えば、６０℃）に上昇した場合、及び、加熱調理器用検出装置Ｓの周囲温度が、常温（例えば、２０℃）から低温（例えば、０℃）に下降した場合のいずれについても、動作検査を行う場合を例示したが、加熱調理器用検出装置Ｓの周囲温度が、常温（例えば、２０℃）から高温（例えば、６０℃）に上昇した場合に較べて、加熱調理器用検出装置Ｓの周囲温度が、常温（例えば、２０℃）から低温（例えば、０℃）に下降した場合には動作不良が起こり難いと考えることができるので、動作検査としては、加熱調理器用検出装置Ｓの周囲温度が、常温（例えば、２０℃）から高温（例えば、６０℃）に上昇した場合についてのみを行うようにしてもよい。
【００９２】
（３）上記実施形態では、バイアス磁界Ｊｂの強さや向きを変更設定できる場合を例示したが、例えば、加熱調理器用検出装置Ｓの周囲温度が、常温（例えば、２０℃）から予測される高温（例えば、６０℃）に上昇した場合についての動作検査のみを行う場合には、加熱調理器用検出装置Ｓの周囲温度が、常温（例えば、２０℃）から予測される高温（例えば、６０℃）に上昇した場合に対応するバイアス磁界Ｊｂのみを発生させる形態で実施してもよい。
【００９３】
（４）上記実施形態では、グリル用センサＳＧに装備する温度検知部２３が、グリル用センサＳＧの設置箇所の雰囲気温度を検出する場合を例示したが、検知体２２の接当部２２Ｔの中央部をグリル皿９に接当させて、温度検知部２３にてグリル皿９の温度を検出させるようにしてもよい。
【００９４】
（５）上記実施形態では、加熱調理器用検出装置Ｓの筒状支持体２１がＬ型状に形成される場合を例示したが、筒状支持体２１が直線状に形成される場合にも、本発明は適用できるものである。
【００９５】
（６）上記実施形態では、連動連結部Ｒが、遮蔽部材２６を的確に押し引き操作できる屈曲自在な線状材にて索状体３１にて構成される場合を例示したが、温度検知用リード線２９を覆う耐熱チューブ２９Ａにより遮蔽部材２６を支持して、耐熱チューブ２９Ａにて連動連結部Ｒを構成する形態で実施してもよい。
【００９６】
（７）上記実施形態では、リードスイッチ２４としては、磁石２５の磁界が作用すると閉状態となる常開型のリードスイッチを例示したが、リードスイッチ２４としては、磁石２５の磁界が作用すると開状態となる常閉型のリードスイッチを用いてもよい。
この場合、検知体２２が突出位置のときに遮蔽部材２６を遮蔽解除位置に位置させ、かつ、検知体２２が後退位置のときに遮蔽部材２６を遮蔽作用位置に位置させるように、検知体２２と遮蔽部材２６とを連動連結して、検知体２２が被加熱物Ｋに押圧されて後退位置に位置変更されると、リードスイッチ２４を閉状態に操作するように構成するとよい。
【００９７】
（８）上記実施形態では、グリルＧにて加熱する被加熱物Ｋとして、グリル皿９を例示したが、グリルＧにて加熱する被加熱物Ｋとしては、蓋付きの容器等、種々のものが適用できる。
【００９８】
（９）上記実施形態では、加熱調理器用検出装置Ｓを備える加熱調理器として、グリルＧを備えるガスコンロを例示したが、本発明の検査方法は、グリルＧを装備しないガスコンロや、グリル専用機等、本発明の検査方法は、加熱調理器用検出装置Ｓを備える種々の加熱調理器を対象とすることができるものである。
【００９９】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１００】
２１    筒状支持体
２２    検知体
２２Ｔ  接当部
２３    温度検知部
２４    リードスイッチ
２５    磁石
２６    遮蔽部材
３１    索状体
Ｊａ    磁界
Ｊｂ    バイアス磁界
Ｋ      被加熱物
Ｍ      ヘルムホルツコイル
Ｒ      連動連結部
【図１】
0006448344.tif 000002
【図２】
0006448344.tif 000003
【図３】
0006448344.tif 000004
【図４】
0006448344.tif 000005
【図５】
0006448344.tif 000006
【図６】
0006448344.tif 000007
【図７】
0006448344.tif 000008
【図８】
0006448344.tif 000009
【図９】
0006448344.tif 000010